(57)【特許請求の範囲】
【請求項１】
発炎筒が発する熱で熔けて路面に接触し冷えて路面に貼り付く素材から成る、発炎筒の発炎口とは反対側の後部に被せるキャップであって、該キャップの後端部に発煙筒の長手方向に対して直角よりも後方に向かうように設けられた転がり防止用の突出部を有することを特徴とする、発炎筒用の転がり防止具。
【請求項２】
前記キャップが発炎筒のほぼ全長に相当する長さを有する、請求項１に記載の発炎筒用の転がり防止具。
【請求項３】
前記キャップが発炎筒のほぼ全長に相当する長さを有すると共に、発炎筒の挿着口に切欠部を有する、請求項１に記載の発炎筒用の転がり防止具。
【請求項４】
更に、発炎筒の発炎口と共に少なくとも前記切欠部付近の前記挿着口を保護するための蓋部を有する、請求項３に記載の発炎筒用の転がり防止具。
【請求項５】
１個のまたはおよそ回転対称の位置に２個の前記転がり防止用の突出部を有する、請求項１に記載の発炎筒用の転がり防止具。
【請求項６】
請求項１乃至請求項５の何れか一に記載の転がり防止具、を備えている発炎筒。
【発明の詳細な説明】
【技術分野】
【０００１】  本発明は、発炎筒の燃焼中に路面上をより転がりにくいようにした、発炎筒用の転がり防止具およびこれを備えた発炎筒に関する。
【背景技術】
【０００２】  従来より一般道や高速道に於いて、周りの自動車や特に後続車に事故の発生を知らせて双方の安全を図るために発炎筒が用いられて来た。この一例として特開平１１−２９６７５３の信号炎管を上げる。このものは紙筒頂部より順次、発火薬、伝火薬、固形状発炎剤および粉状発炎剤からなる信号炎管である。信号炎管の着火から路面に接地するまでの間は機械的強度に優れた固形状伝火薬が燃焼しており、衝撃により燃焼中断することなく、路面に接地後は発煙量の少ない粉状発炎剤が燃焼するように構成されている。【０００３】  このような発炎筒が使用されるような状況は緊急事態であるため、発炎筒は路上に置かれると言うよりは投げられることが多く、筒状であるために路上を転がる問題が指摘されている。特に高速道路上では大型車の走行風が極めて強いこともあって、発炎筒が路面に接地した後でも不本意にも易々と転がって信号筒としての役割が低下したり、車両による跳ね上げによる本線外への飛び出しなどにより、路側の植物に炎が移るような重大な問題を生じているのが現状である。【０００４】  この問題を解決するものとして、実用新案登録第３０００７３１号の信号発炎筒では、筒体がその長手方向に伸びる少なくとも二つの稜部を有するものとされている。例えば綾部の数が３であれば信号発炎筒は断面形状が三角形であるから路上を転がりにくく、路上に投下して目指す地点に停止させ得る効果がある。【０００５】  ところで特開２００３−２４２５６５の信号表示装置は、図３で表されているように、発炎筒１００の本体１１０の周囲に支持アッセンブリ１２０が装着されたものであり、この支持アッセンブリ１２０は固定リング部分１２２および６本の支持脚部分１２４とからなるものである。この支持脚部分１２４の先端が、本体１１０から離れる方向に放射状に広がっているため、発炎筒１００を道路上に横置した時に、支持脚部分１２４の先端および本体１１０の底部によって全体が支えられて点火部１１２が上を向く。従って点火した発炎筒１００を無造作に道路上に置いても火炎が上を向くので、火炎が直接路面に当たらなくなり路面を保護することができると言う効果を奏する。なお６本の支持脚部分１２４に路上を転がりにくくなると言う副次的な作用を見出すことが可能である。
【先行技術文献】
【特許文献】
【０００６】
【特許文献１】特開平１１−２９６７５３号公報
【特許文献２】実用新案登録第３０００７３１号公報
【特許文献３】特開２００３−２４２５６５号公報（図３）
【発明の概要】
【発明が解決しようとする課題】
【０００７】  上述したように実用新案登録第３０００７３１号の信号発炎筒は、路上を転がりにくくなる構成を有してはいる。しかしながらこの発炎筒本体の形状は一般的ではなく特殊であり、また強い炎を発するものとしての問題点が特開２００３−２４２５６５号公報に記載されていることからすれば、平面で路面に定着することはあまり好ましいことではない。転がして用いる発炎筒にあっては転がりにくさと路面の完全な保護とには相容れない部分があることもまた事実であり、この点を少しでも改善したいところである。一方特開２００３−２４２５６５の信号表示装置は、６本の支持脚部分１２４に転がり抑制の作用があることが見て取れるわけであるが、支持脚部分１２４の素材のバリエーションに限定はない旨の記載に従ってこれを合成樹脂製のものとした場合など、火炎が固定リング部分１２２に至ってここを焼いた時には、転がり抑制の効果が失われてしまうことが分かる。【０００８】  そこでこの発明は、発炎筒が着火し路面に置かれてからほぼ燃焼を終了するまでの間、路面を転がりにくいものであるような、そうした発煙筒を提供することを課題とする。
【課題を解決するための手段】
【０００９】  上記の課題は、発炎筒が発する熱で熔けて路面に接触し冷えて路面に貼り付く素材から成る、発炎筒の発炎口とは反対側の後部に被せるキャップであって、該キャップの後端部に発煙筒の長手方向に対して直角よりも後方に向かうように設けられた転がり防止用の突出部を有することを特徴とする、発炎筒用の転がり防止具、およびこのような転がり防止具を備えた発炎筒とすることによって達成される。【００１０】  路上で緊急事態が発生した場合、緊急を要するため、発炎筒に着火してからこの発煙筒を路上に置いたり軽く投げるようにしたりして用いる。すると前記突出部が路面に対して抵抗を示して発炎筒の転がりが起こりにくくなる。さらに火炎が前記キャップを熔かすと、熔けた素材が路面に着き冷却されて貼り付くため、これも発炎筒の転がりを起こりにくくする一助となる。而して前記突出部は発炎筒の発炎口とは反対側に当たる部位にあるため、発炎筒の燃焼が終盤に至ってもなお上記作用を発揮し続けることになる。このように素材を熔かして路面に貼り付かせて転がり防止とするコストは殆どゼロであると言うことができる。なお熔けて路面に貼り付いた素材は、突出部ごとスクレーパーなどでこそぎ落とせば取り除ける。このキャップの素材の選択や形状の設計は目的を達成できる限り任意であるが、素材によっては取り除きにくい場合もあり、これを嫌うのであれば、発炎筒が発する熱で熔けて路面に接触し冷えて路面に貼り付いて固まった時に軟質である素材（好適な一例として、熔けて路面に接触し冷えて路面に貼り付いて固まった時に軟質であるポリエチレン、を上げる）を用いるようにすることで、より取り除きやすいものとなる。なお取り除きにくい場合でも軟質であるため、やはり走行車両等への影響は少ない。【００１１】  さて、前記取付手段が発炎筒のほぼ全長に相当する長さを有するものとすることができる。筒に取り付ける取付手段の長さは任意であるが、発炎筒のほぼ全長に相当する長さとすることにより、発炎筒に着火し路面に横たえた頃からすぐに火炎が前記取付手段を熔かし始めて発炎筒が路面に貼り付くようになる。従ってこの転がり防止具すなわち発炎筒は使用の初め頃から前記突出部と共に転がり抑止の作用を発揮する。【００１２】  また前記取付手段が発炎筒のほぼ全長に相当する長さを有すると共に、発炎筒の挿着口に切欠部を有するものとすることができる。発炎筒のほぼ全長に相当する長さとすることの作用効果は上述した通りであるが、更に発炎筒の挿着口に切欠部を設けたことに付いての作用効果が見られる。すなわち上記構成の転がり防止具を使用すると切欠部を設けていないものと比較して、第一に発炎筒からの煙の発生量が少なく発炎がより鮮明に見られ、第二に発炎が切欠部を通して明らかに見られる、と言う作用効果が確認された。これ等は発炎筒に求められる性能そのものである。なお切欠部の形状はＶ字やＵ字など自由に選択することが出来る。その幅や長さも任意に設計して良い。また切欠部の数に付いても同様であるが、およそ回転対称の位置にある方がより好ましい。【００１３】  ところで前記転がり防止用の突出部の数は幾つでも良いわけであり、例えば４個のものを提供することができ、この場合も４個の��起が転がり防止の作用を現ずる。しかしながら１個のまたはおよそ回転対称の位置に２個の前記転がり防止用の突出部を有するものとすることも可能である。そしてこの１個や２個のものの方が３個以上のものと比べてより転がりにくいものであることが分かる。さらに１個のものは２個のものに比してコスト面やパッケージングの面でも有利である。すなわち熔けた部分の路面への接着と１個の突出部による抵抗とで転がり防止のより良い効果が得られると共に、突出部が１個であることによるコスト面等での優位性がより高いものとなる。
【発明の効果】
【００１４】  本発明によれば、前記突出部が発炎筒の転がりを起こりにくくし、炎熱で溶けた前記取付手段が路面に貼り付いて発炎筒の転がりを起こりにくくすると共に発炎筒の燃焼が終盤に至ってもなお路面を転がりにくいと言う作用を発揮し続けることになり、所期の目的を達成するものとなっている。
【図面の簡単な説明】
【００１５】
【図１】  実施例１の転がり防止具を斜面視した説明図である。
【図２】  実施例２の転がり防止具付き発炎筒を側面視した説明図である。
【図３】  実施例３の転がり防止具付き発炎筒を斜面視した説明図である。
【図４】  実施例４の転がり防止具付き発炎筒を正面視した説明図である。
【図５】  実施例５の転がり防止具付き発炎筒を側面視した説明図である。
【図６】  実施例５の押え蓋７の使用状態を表した説明図である。
【発明を実施するための形態】
【実施例１】
【００１６】  この実施例の転がり防止具は、発炎筒２の発炎口２０とは反対側に当たる鎖線で表した底部２２に装着する取付手段としてのキャップ１であって、発炎筒の熱で熔ける合成樹脂製のキャップ１そのものを発炎筒２の筒への取付手段と為したものである。このキャップ１の底部１０に、キャップ１の（発炎筒２に装着した際にその）長手方向に対しておよそ直角となる方向に向かうすなわち発煙筒の転がり方向に向かう突出部である所の突片１１を備えている。実際の使用ではこのキャップ１を発炎筒２に装着するようにする。【００１７】  この発炎筒２を着火してから路上に置いたり軽く投げるようにすると、キャップ１は発炎筒２と共に路面に横たわるが、キャップ１には突片１１が設けられているため、これが抵抗となって発炎筒２が路面を転がりにくくなる。この後発炎筒２がキャップ１の所まで燃焼して来ると、その熱でキャップ１が熔融し始め、その熔けた部位が路面に着き冷却されて貼り付くようになる。これを図１では鎖線にて形象的に熔着部Ｍとして表した。この熔着部Ｍは発炎筒２の転がりを起こりにくくする一助となる。この熔着部Ｍが路面に作用する部位は徐々に後方に移って来るが、突片１１はキャップ１の底部１０に設けられているために、発炎筒２の燃焼が終盤に至ってもなお上記作用を発揮する。従って発炎筒２の使用の当初から燃焼し終わるまで発炎筒２の転がりを防止し得る。なお熔けて路面に貼り付いた熔着部Ｍは突片１１ごとスクレーパーなどで路面からこそぎ落とせば取り除ける。また取り除けなくても軟質であるため、車両等への影響は極めて少ない。
【実施例２】
【００１８】  この実施例の転がり防止具は、その構成を上述の実施例１のそれに倣うものであるが、キャップ３が発炎筒２のほぼ全長に相当する長さを有している点で異なる。図２では発炎筒２が発火薬２１の付近のみキャップ３の挿着口３０から僅かに外に出ている状態が表されている。またキャップ３の底部３１に、キャップ３の長手方向に対して直角よりも僅かに後方に向かうようにして、突出部としての突片３２を備えているのも特徴である。【００１９】  この実施例によれば、キャップ３を装着した発炎筒２に着火してから、路上に軽く投げ置くようにすると、路面に横たわってから間もなくして、発炎筒２の燃焼の初期の段階で挿着口３０が熔融し始め、熔けた部位（熔着部Ｍ）が路面に付着し冷却されて貼り付くようになる。従って突片３２の上記作用と相俟って、発炎筒２をより一層転がりにくくすることができる。なお図２でキャップ３の上記後端部である底部３１の位置であり、発煙筒の長手方向に対して直角の位置を鎖線で表し、この鎖線に対して突片３２の先を僅かに後方に向かうように傾斜させて設けているのは、発炎筒２の熱から幾らかでも遠ざけたいとするこの実施例独自の思想からである。
【実施例３】
【００２０】  この実施例の転がり防止具は、これを装着する発炎筒２の筒を挟着する取付手段としてのクリップ４であり、発炎筒の熱で熔ける合成樹脂製のクリップ４そのものを発炎筒２の筒への取付手段となしたものである。すなわち図３で表すようにクリップ４は２回対称の位置に設けた溝部４０，４０によって隔てられる右挟持片４１と左挟持片４２とを備えており、これ等にて発炎筒２の筒を両側から挟み付けて止める。【００２１】  またクリップ４の底部４３には、２回対称の位置に、転がり防止用の突出部となる右突片４４と左突片４５とを備えている。これ等は２回対称に設けられていることによって、クリップ４を装着した発炎筒２に着火してからこれを路上に軽く投げ置いた時に必ず路面に接触することになる。クリップ４が熔けて路面に貼り付けば熔着部Ｍが形成される。この熔着部Ｍが路面に作用する部位は徐々に後方に移って来るが、この間にもクリップ４は発炎筒２の筒を挟着する機能を失わないように設計されている。【００２２】  なお転がり防止用の突出部に関して実施例１では突片１１、実施例２では突片３２と、何れも１個を有しており、また実施例３では２個を有している。この数を増やして３個、４個などとすることができ、この構成によっても路面を転がりにくくする作用を現すことが分かっているが、より転がりにくくなる突出部の数は２個または１個である。この数を増やすほど突出部の先端部を結ぶラインが円に近くなるからである。なお上述したように突出部の数は少ないほどコスト面やパッケージングの面で有利となる。すなわち熔着部Ｍの路面への接着と１個の突出部による抵抗とで、転がり防止のより良い効果が得られる。同時に素材を熔かして路面に貼り付かせて転がり防止とするコストが殆どゼロであることや突出部が唯１個であることによるコストの低さは、この構成ならではの効果である。
【実施例４】
【００２３】  図４にこの実施例の転がり防止具を貼着した発炎筒２を、発火薬２１の側から見た状態で表す。発炎筒２の筒の半周分に当接する取付手段としての接着片５はその内側に粘着剤が塗布された接着層５０を有すると共に、発炎筒２の発炎口２０とは反対側に当たる底部分に当接する底部５１を有する。この底部５１に発煙筒２の転がり方向に向かう突出部である所の突片５２を備えたものである。この突片５２は実施例１の突片１１に比して幅広であり、またその形状から受ける印象も突片１１のそれとは異なっている。【００２４】  この転がり防止具を貼着した発炎筒２を路上に軽く投げ置くようにすると、接着片５は発炎筒２と共に路面に横たわるが、上記突片５２が抵抗となって発炎筒２が路面を転がりにくくなる。また着火した発炎筒２の熱で接着片５が熔融し始め、その熔けた部位が路面に着き、路面で冷却されて熔着部Ｍとなる。熔着部Ｍに繋がる突片５２も最後まで働く。
【実施例５】
【００２５】  この実施例の転がり防止具は、キャップ６が発炎筒２のほぼ全長に相当する長さを有しており、また発炎筒２を挿着する挿着口６０に、Ｖ字形状の切欠部６１が６回対称の位置で設けられている点に特徴を有する。切欠部６１によって切欠片６２が６回対称で形成される。図５には発炎筒２の発炎口２０とは反対側に当たる底部６３の近くのキャップ６の側面部に、実施例１の突片１１の付き方と比較した場合にこれとは直交する姿勢で、発煙筒２の転がり方向に向かう突出部である突片６４が表されている。この突片６４は幅広であり、その形状から受ける印象も突片１１のそれとは大きく異なる。【００２６】  この実施例によれば、キャップ６を装着した発炎筒２に着火してから、路上に軽く投げ置くようにすると、路面に横たわってから間もなくして、発炎筒２の燃焼の初期の段階で挿着口６０が熔融し始め、熔けた部位（熔着部Ｍ）が路面に付着し冷却されて貼り付くようになる。従って突片６４の転がり防止作用と相俟って、発炎筒２をより一層転がりにくくすることができる。【００２７】  また発炎筒２に着火した時に、発炎筒２の挿着口６０に切欠部６１を設けたことに付いての作用効果が得られるようになる。それは切欠部６１を設けていないものと比較して、発炎筒２からの煙の発生量が少なくなり発炎がより鮮明に見られることである。また発炎が切欠部６１を通して明らかに見られるようになることである。切欠部６１は言わばこの部位の炎を見るための窓なのである。【００２８】  なお図６には発炎筒２の発炎口２０の側に押え蓋７を被冠させた使用状態が表されている。上記蓋部としての押え蓋７は発炎筒２の発炎口２０や発火薬２１を保護すると共に、キャップ６の挿着口６０部分をも覆っているため、キャップ６の切欠部６１の回りの部位に相当する切欠片６２の部位を、押え蓋７内に納めて押さえ付けておくことが出来る。これにより切欠片６２の先が不本意に捲れたり折れたり不揃いになったりすることを防止し得る。
【産業上の利用可能性】
【００２９】  本発明は発煙筒や花火に適用することが可能である。
【符号の説明】
【００３０】  １  ：キャップ      １０：底部        １１：突片
２  ：発炎筒        ２０：発炎口      ２１：発火薬        ２２：底部
３  ：キャップ      ３０：挿着口      ３１：底部          ３２：突片
４  ：クリップ      ４０：溝部        ４１：右挟持片      ４２：左挟持片
４３：底部          ４４：右突片      ４５：左突片
５  ：接着片        ５０：接着層      ５１：底部          ５２：突片
６  ：キャップ      ６０：挿着口      ６１：切欠部        ６２：切欠片
６３：底部          ６４：突片
７  ：押え蓋
Ｍ  ：熔着部
【図１】
0006687921.tif 000002
【図２】
0006687921.tif 000003
【図３】
0006687921.tif 000004
【図４】
0006687921.tif 000005
【図５】
0006687921.tif 000006
【図６】
0006687921.tif 000007